(57)【要約】【課題】外被に設けるノッチに特異性のある形状を設けて引き裂き作業性の向上を図る。【解決手段】外被は、波目状ノッチが長手方向に１本以上形成され、長手方向に対して上下方向に引き裂き可能な山形状波目が形成される。この山形状波目の頂上部付近から引き裂きがなされ得る。【選択図】図１
2011203471.tif 000002
【特許請求の範囲】
【請求項１】
光ファイバ心線を収納した空間部の外周に押さえ紐と押さえ巻を備え、最外周に外被を備えた光ファイバケーブルにおいて、
前記外被は、波目状のノッチが長手方向に１本以上形成され、長手方向に対して上下方向に引き裂き可能な山形状波目が形成されることを特徴とする光ファイバケーブル。
【請求項２】
請求項１において、前記ノッチが前記外被の外面、内面もしくは両面に形成されていることを特徴とする光ファイバケーブル。
【請求項３】
請求項１または２において、前記ノッチ波目は正弦波形状であることを特徴とする光ファイバケーブル。
【請求項４】
請求項３において、波目状のピッチＰが
2011203471.tif 000005
ここでＤ：外被外形、ｎ：ノッチ本数、θ：ノッチ角度にされ、θが６０°以下とされていることを特徴とする光ファイバケーブル。
【請求項５】
請求項１から４のいずれかに記載した光ファイバケーブルからの光ファイバ心線引き出し方法において、
波目状のノッチに形成され山形状波目の山頂上付近から波目を上下方向に引き裂いで任意の長さの光ファイバ心線の引き出し用開口部を形成することを特徴とする光ファイバケーブルからの光ファイバ心線引き出し方法。
【請求項６】
請求項５において、隣接する波目を上下交互に連続して引き裂いで任意の長さの前記開口部を形成することを特徴とする光ファイバケーブルからの光ファイバ心線取り出し方法。
【発明の詳細な説明】
【技術分野】
【０００１】
本発明は光ファイバケーブル及びこれらの光ファイバ心線取り出し方法に関する。
【背景技術】
【０００２】
分岐接続等の作業を行う上で、作業性向上のためにシースである外被にはノッチあるいは外被引き裂き用の引き裂き紐が設けられる。
【０００３】
特許文献１には、外被の両側面に光ファイバ心線列と両面のテンションメンバとの間に切り込み用のノッチを設けることが記載されている。
【０００４】
特許文献２には、外被の内周面側にコア部の軸方向に延びる複数のノッチが設けられることが記載されている。
【先行技術文献】
【特許文献】
【０００５】
【特許文献１】特開２００９−１８６７１４号公報
【特許文献２】特開２００６−１７１５７０号公報
【発明の概要】
【発明が解決しようとする課題】
【０００６】
外被に引き裂き紐を設けて作業性を向上させる手段であっては、引き裂き紐を外被に設ける工程を要することになる。
【０００７】
また、上述した特許文献には長手方向あるいは長手円周巻き方向にノッチが設けられて引き裂き紐を要しない構造とされているが、長手方向あるいは長手円周巻き方向のノッチであっては、その長手方向において一定で特異構成があるわけではないので、引き裂き作業性の向上に限界が認められる。
【０００８】
本発明は、かかる点に鑑みてなされたもので外被に設けるノッチに特異性のある形状を設けて引き裂き作業性の向上を図ることを目的とする。
【課題を解決するための手段】
【０００９】
本発明は、ファイバ心線を収納した空間部の外周に押さえ紐と押さえ巻を備え、最外周に外被を備えた光ファイバケーブルにおいて、
前記外被は、波目状のノッチが長手方向に１本以上形成され、長手方向に対して上下方向に引き裂き可能な山形状波目が形成されることを特徴とする光ファイバケーブルを提供する。
【００１０】
本発明は、また、前記ノッチが前記外被の外面、内面もしくは両面に形成されていることを特徴とする光ファイバケーブルを提供する。
【００１１】
本発明は、また、前記ノッチ波目は正弦波形状であることを特徴とする光ファイバケーブルを提供する。
【００１２】
本発明は、また、波目状のピッチＰが
2011203471.tif 000003
ここでＤ：外被外径、ｎ：ノッチ本数、θ：ノッチ角度にされ、θが６０°以下とされていることを特徴とする光ファイバケーブルを提供する。
【００１３】
本発明は、また前記光ファイバケーブルからの光ファイバ心線引き出し方法において、
波目状のノッチに形成され山形状波目の山頂上付近から波目を上下方向に引き裂いで任意の長さの光ファイバ心線の引き出し用開口部を形成することを特徴とする光ファイバケーブルからの光ファイバ心線引き出し方法を提供する。
【００１４】
本発明は、また、隣接する波目を上下交互に連続して引き裂いで任意の長さの前記開口部を形成することを特徴とする光ファイバケーブルからの光ファイバ心線取り出し方法を提供する。
【発明の効果】
【００１５】
本発明は、ノッチに上述のように上下方向に引き裂き可能な山形状波目を形成しているので、山形状波目の頂上付近から波目を上下方向に引き裂いで任意の長さの光ファイバ心線の取り出し用開口部を形成することができる。本発明は、このように山形状波目という特異構成の形状を利用して引き裂きを行うことができるので、引き裂き作業の向上、更には光ファイバ心線の取り出し、分岐作業性を向上させることができる。
【図面の簡単な説明】
【００１６】
【図１】本発明の実施例の構成を示す一部切断部を含む斜視図。
【図２】ノッチの形状の例を示す図。
【図３】ノッチパターンの例を示す図。
【図４】波目状ノッチのピッチ計算例を示す図。
【図５】製造方法を示す図。
【図６】引き裂きパターンの例を示す図。
【図７】クロージャから光ファイバ心線を引き出す例を示す図。
【発明を実施するための形態】
【００１７】
以下、本発明の実施例を図面に基づいて説明する。
【実施例】
【００１８】
図１は、本発明の実施例である光ファイバケーブルの全体構成を示す一部切断部を含んだ斜視図である。図１に示す例は光ファイバ心線を収納した溝付きスロットを用いたスロット型光ファイバケーブルを示すが、本実施例はスロットのないスロットレス型光ファイバケーブルについても適用可能である。
【００１９】
スロット型光ファイバケーブルであってもスロットレス型光ファイバケーブルであっても光ファイバ光線は中央部の空間部に光ファイバケーブルは配設され収納される。以下、スロット型光ファイバケーブルを例にとって説明する。
【００２０】
図１において、光ファイバケーブル１は、光ファイバ心線を収納する溝（スロット溝）３を有すスロット２の外周に押さえ紐４、押さえ巻５更に押さえ巻押さえ紐６を周回あるいは被覆し、その外側に外被７が被覆されて形成される。そして、スロット２の中心にテンションメンバ９が配置され、設けられる。このような形状はスロット型光ファイバケーブルとして一般的構造であり、本実施例はこれらの一般的構造のスロット型光ファイバケーブルに適用可能である。
【００２１】
本実施例にあっては、外被７は、波目状のノッチ８が長手方向に１本以上形成され、長手方向に対して上下方向に引き裂き可能な山形状波目１０が形成される。
【００２２】
図２に、ノッチ形状を示す。波目状のノッチ８は図２に示すように、外被外面、外被内面あるいは外被両面に形成することが可能である。
【００２３】
図３に、ノッチ形状のパターンを示し、図４に、波目状のピッチＰの計算例を示す。
図３に示すように、波目状のノッチ８が長手方向に複数本形成され、長手方向に対して上下方向に引き裂き可能な山形波目１０が形成される。
Ｄ：ケーブル外径
ｎ：ノッチ本数
θ：ノッチ角度
が設定される。
【００２４】
図４に計算式を示す。
また、図４にこの計算式に基づいて計算した波目状ノッチのピッチを示す。
波目状のピッチＰが
2011203471.tif 000004
で示され、θが６０°以下にされることが引き裂き上望ましい。
【００２５】
図５は、本実施例の光ファイバケーブル１の製造方法を示す。外被８に波目状ノッチ７を形成するために、押出機ヘッド１１が採用され、この押出機ヘッド１１はノッチ付きダイスを備えて構成される。
【００２６】
他方、光ファイバケーブルをＳＺに反転させるＳＺ反転機（図示せず）が設置される。このＳＺ反転機として公知のものが採用可能である。
【００２７】
矢印Ａで示すように、ＳＺ反転機で外被被覆前の光ファイバケーブル１ＡにＳＺ反転動作を与えながら光ファイバケーブル１Ａを矢印Ｂで示す長手方向に移動動作を与える。
【００２８】
これらの両動作を付与した状態で、押出機ヘッド１１によって樹脂材からなる外被を被覆する。これによって外被７には波目状ノッチ８が形成される。
【００２９】
図６に、外被引き裂きパターンの例を示す。
図６（ａ）において外被７は波目状ノッチ８を有し、波目状ノッチ８によって山形状波目１０が形成され、山形状波目の先端部が頂上部付近１２となる。
【００３０】
図６（ｂ）に示すように、山形状波目１０の山頂部付近１２から波目を上下方向に引き裂くことを行う。この引き裂かれた波目が作業に邪魔な場合は切り取ってもよい。
【００３１】
図６（ｃ）に示すように、隣接する波目１０を上下交互に連続して引き際で任意の長さの開口部１３を形成する。
【００３２】
図７に、クロージャ１４からの光ファイバ心線の引き出し方法を示す。
図７（ａ）に、連続した上方の波目１０が４個引き裂かれ、連続した下方の波目１０が４個引かれ、開口部１３が形成された例を示す。
【００３３】
光ファイバ心線２１が、これら連続した波目１０の引き裂きによって形成された任意の長さの開口部１３から引き出されて任意の長さに切断される。波目１０を利用しての引き裂きであるので頂上部付近から容易に上下方向に作業を行い得る。
【００３４】
図７（ｂ）に、開口部１３を近接した箇所に２ヶ所形成した例を示す。この例にあっては、これらの２ヶ所間の波目１０については引き裂きを行わない。その引き裂きを行わない領域についての作業が軽減される。
【００３５】
右方の開口部１３の光ファイバ心線２１を切断し、左方の開口部１３から光ファイバ心線２１を引き出す。このようにすることによって、開口部１３の長さを必要上の最短とすることができる。
【符号の説明】
【００３６】
１…光ファイバケーブル、２…スロット、３…溝（スロット溝）、４…押さえ紐、５…押さえ巻、６…押さえ巻押さえ紐、７…外被（シース）、８…ノッチ（波目状ノッチ）、９…テンションメンバ（抗張力体）１０…山形状波目、１２…山頂部付近、１３…開口部、１４…クロージャ、２１…光ファイバ心線（光ファイバ）。
【図１】
2011203471.tif 000006
【図２】
2011203471.tif 000007
【図３】
2011203471.tif 000008
【図４】
2011203471.tif 000009
【図５】
2011203471.tif 000010
【図６】
2011203471.tif 000011
【図７】
2011203471.tif 000012